(57)【要約】【課題】本発明は、ユーザーの操作を簡易にすることのできる音響制御装置を提供する。【解決手段】サラウンド設定を行う場合には、設定内容が設定結果に相互で作用し合うようなサラウンドを設定する操作ボタン(11a)と聴取位置を設定する操作ボタン(11b)とを同時に設定部(11)に表示し、操作判別制御と表示選択判定制御において、サラウンドと聴取位置に基づいた表示をタッチパネルディスプレイ(10)の挿絵部(12)に表示する。【選択図】図２
2014015117.tif 000002
【特許請求の範囲】
【請求項１】
車両の音響装置の音質を設定する音質設定手段と、
前記車両内の聴取位置を設定する聴取位置設定手段と、
前記音質設定手段と前記聴取位置設定手段での設定内容に基づく設定結果を表示する結果表示手段と、
前記結果表示手段を制御する制御手段と、を備え、
前記制御手段は、前記音質設定手段と前記聴取位置設定手段のいずれかが操作されるたびに前記設定結果に前記設定内容を反映させることを特徴とする音響制御装置。
【請求項２】
前記音質設定手段と前記聴取位置設定手段とを操作可能に表示する設定表示手段を備え、
前記制御手段は、前記音質或いは前記聴取位置の設定時には、前記音質設定手段と前記聴取位置設定手段とを前記設定表示手段に同時に表示するように前記設定表示手段を制御することを特徴とする、請求項１に記載の音響制御装置。
【請求項３】
前記制御手段は、前記音質を表示の形状で、前記聴取位置を表示の位置によって前記設定結果を前記結果表示手段に表示させることを特徴とする、請求項１或いは２に記載の音響制御装置。
【発明の詳細な説明】
【技術分野】
【０００１】
本発明は、音響制御装置に係り、詳しくは、音質設定表示の制御に関する。
【背景技術】
【０００２】
従来より、自動車には、車室内でＣＤやＤＶＤやラジオ等の様々な音楽ソースを聴取可能とするための音響装置が備えられている。そして、このような音響装置には、それらの音楽ソースを制御する例えば特許文献１のような音響制御装置が設けられている。
特許文献１の音響制御装置では、ユーザーがタッチパネルディスプレイを操作して、座席毎で聴取する音楽ソースを設定できるようにしている。
【先行技術文献】
【特許文献】
【０００３】
【特許文献１】特開２００９−１４３４９５号公報
【発明の概要】
【発明が解決しようとする課題】
【０００４】
このように上記特許文献１の音響制御装置では、座席毎で聴取する音楽ソースの設定時に、タッチパネルディスプレイに表示される聴取可能な音楽ソースの一覧より聴取したい音楽ソースを選択した後に、タッチパネルディスプレイの表示を座席選択画面に移行させ、座席を選択するようにしている。即ち、設定項目毎で設定画面が異なり、設定項目が変わると設定画面を切り換えるようにしている。
【０００５】
しかしながら、このような設定画面を切り換える設定方法を、例えばサラウンド等の音質の設定や音楽を聴取する座席の設定等で、それぞれの設定項目が相互で作用し合うような設定項目に適用すると、ユーザーはそれぞれの設定画面を切り換えて、ユーザーが所望する設定を探す必要があり、ユーザーの操作が煩雑になり好ましいことではない。
本発明は、この様な問題を解決するためになされたもので、その目的とするところは、ユーザーの操作を簡易にすることのできる音響制御装置を提供することにある。
【課題を解決するための手段】
【０００６】
上記の目的を達成するために、請求項１の音響制御装置では、車両の音響装置の音質を設定する音質設定手段と、前記車両内の聴取位置を設定する聴取位置設定手段と、前記音質設定手段と前記聴取位置設定手段での設定内容に基づく設定結果を表示する結果表示手段と、前記結果表示手段を制御する制御手段と、を備え、前記制御手段は、前記音質設定手段と前記聴取位置設定手段のいずれかが操作されるたびに前記設定結果に前記設定内容を反映させることを特徴とする。
【０００７】
また、請求項２の音響制御装置では、請求項１において、前記音質設定手段と前記聴取位置設定手段とを操作可能に表示する設定表示手段を備え、前記制御手段は、前記音質或いは前記聴取位置の設定時には、前記音質設定手段と前記聴取位置設定手段とを前記設定表示手段に同時に表示するように前記設定表示手段を制御することを特徴とする。
また、請求項３の音響制御装置では、請求項１或いは２において、前記制御手段は、前記音質を表示の形状で、前記聴取位置を表示の位置によって前記設定結果を前記結果表示手段に表示させることを特徴とする。
【発明の効果】
【０００８】
請求項１の発明によれば、音質或いは聴取位置の設定時に、音質設定手段と聴取位置設定手段のいずれかが操作されるたびに設定内容を結果表示手段に表示する設定結果に反映させている。
このように、設定内容が設定結果に相互で作用し合うような音質設定と聴取位置の設定時には、音質設定手段と聴取位置設定手段のいずれかが操作されるたびに設定内容を結果表示手段に反映させることで、ユーザーが視覚的に現状の設定結果を理解することができるので、ユーザーが所望する設定の組み合わせに容易に設定することができる。
【０００９】
したがって、ユーザーの操作を簡易にすることができる。
また、請求項２の発明によれば、音質或いは聴取位置の設定時に、設定表示手段に音質設定手段と聴取位置設定手段とを同時に表示させている。
このように、設定内容が設定結果に相互で作用し合うような音質設定と聴取位置の設定時には、音質設定手段と聴取位置設定手段とを同時に表示させることで、ユーザーによる設定画面の切り換えが不要となるので、ユーザーの操作を簡易にすることができる。
【００１０】
また、請求項３の発明によれば、音質を表示の形状で、聴取位置を表示の位置によって設定結果を結果表示手段に表示するようにしており、ユーザーが視覚的に現状の設定結果を理解することができるので、ユーザーが所望とする設定の組み合わせに容易に設定することができる。
【図面の簡単な説明】
【００１１】
【図１】本発明に係る音響制御装置を適用した音響装置の概略構成図である。
【図２】タッチパネルディスプレイの表示の一例を示す図である。
【図３】各設定でのタッチパネルディスプレイの表示の一例を示す図である
【図４】本発明に係るコントローラでの操作判別制御の制御ルーチンを示すフローチャートである。
【図５】本発明に係るコントローラでの表示選択判定制御の制御ルーチンを示すフローチャートである。
【発明を実施するための形態】
【００１２】
以下、本発明の実施形態を図面に基づき説明する。
図１は、本発明に係る音響制御装置を適用した音響装置の概略構成図である。また、図２は、タッチパネルディスプレイの表示の一例を示す図である。図中破線で示す領域は、サラウンドや聴取位置等の設定を行う設定部を、二点鎖線で示す領域は、設定の組み合わせを表示する挿絵部を示す。なお、図示しないが、本実施例では挿絵部の右上方が運転席を示している。また、サラウンドＡ，Ｂ，Ｃは、サラウンドの種類を示し、聴取位置Ｘは、運転席のみ、聴取位置Ｙは、前部座席のみ、聴取位置Ｚは、全座席を示している。そして、図３は、各設定でのタッチパネルディスプレイ１０の表示の一例を示す図である。詳しくは、サラウンドと聴取位置の各々の設定における挿絵部の表示を示している。なお、本実施例では挿絵部のサラウンドの種類を表示の形状で、聴取位置を表示の位置で示している。詳しくは、サラウンドＡを三重円形状で、サラウンドＢを二重の略扇形状で、サラウンドＣを円形状で示している。以下、音響制御装置を適用した音響装置の構成を説明する。
【００１３】
音響装置１は、自動車等の車室内でＣＤやＤＶＤやラジオ等の様々な音楽ソースを聴取可能とするためのものである。
図１に示すように、音響装置１は、タッチパネルディスプレイ（設定表示手段、音質設定手段、聴取位置設定手段、結果表示手段）１０と、音楽等の音声信号を増幅するアンプ２１と、増幅された音声信号を音声として出力するスピーカ２２と、タッチパネルディスプレイ１０やアンプ２１を制御するコントローラ（制御手段）３０とで構成されている。そして、これら各種装置は、電気的に接続されている。
【００１４】
タッチパネルディスプレイ１０は、入力及び表示装置としての機能を有している。図２に示すように、例えば、サラウンド設定を行う場合には、設定内容が設定結果に相互で作用し合うようなサラウンドを設定する操作ボタン（音質設定手段）１１ａと聴取位置を設定する操作ボタン（聴取位置設定手段）１１ｂとを同時に設定部１１に表示し、挿絵部（結果表示手段）１２にユーザーが設定の組み合わせを認識可能なように、コントローラ３０からの入力信号に基づいた挿絵を表示する。なお、コントローラ３０からの入力信号は、サラウンドと聴取位置との設定に基づいてコントローラ３０より出力される。また、タッチパネルディスプレイ１０は、タッチパネルディスプレイ１０のタッチパネル上から操作ボタン１１ａ，１１ｂを押すことでサラウンド及び聴取位置を設定することができる。そして、タッチパネルディスプレイ１０は、それぞれの操作ボタン１１ａ、１１ｂの操作状態、即ち、サラウンドと聴取位置の設定状態の信号をコントローラ３０に出力する。
【００１５】
コントローラ３０は、入出力装置、記憶装置（ＲＯＭ、ＲＡＭ、不揮発性ＲＡＭ等）及び中央演算処理装置（ＣＰＵ）等を含んで構成されている。そして、図１にはコントローラ３０の記憶装置及び中央演算処理装置での処理機能部として、操作受付部３１と、表示処理部３２と、再生制御部３３とをブロック化した状態で示している。
コントローラ３０の入力側には、タッチパネルディスプレイ１０が接続されている。一方、コントローラ３０の出力側には、タッチパネルディスプレイ１０と、アンプ２１を介してスピーカ２１とが接続されている。
【００１６】
操作受付部３１は、タッチパネルディスプレイ１０の操作状態を判別し、判別結果を表示処理部３２及び再生制御部３３に出力するものである。例えば、サラウンド設定を行う場合には、操作部１１に表示される操作ボタン１１ａ，１１ｂの操作状態を判別し、判別結果の信号を表示処理部３２と再生制御部３３とに供給する。
表示処理部３２は、タッチパネルディスプレイ１０の設定部１１や挿絵部１２に予めＲＯＭ等に記憶された操作ボタン１１ａ，１１ｂや挿絵等をタッチパネルディスプレイ１０に出力するものである。図２に示すように、例えば、サラウンド設定を行う場合には、設定内容が設定結果に相互で作用し合うサラウンドと聴取位置を設定する操作ボタン１１ａと操作ボタン１１ｂとを同時に表示するようにタッチパネルディスプレイ１０に信号を供給する。また、操作受付部３１から入力される判別結果に基づいて、予め記憶された挿絵からユーザーが行った設定に見合った挿絵を選択し、当該挿絵の信号をタッチパネルディスプレイ１０に供給する。そして、図３に示すように、本実施例では、例えばサラウンドがＢで、聴取位置がＸである場合には、挿絵部１２の右上方の運転席のみを含むように二重略扇形状で表示するようにし、また、サラウンドがＣで、聴取位置がＺである場合には、全座席を含むような円形状で表示するようにしている。
【００１７】
再生制御部３３は、ユーザーの設定に基づきアンプを制御するものである。例えば、サラウンド設定を行う場合には、操作受付部３１から入力される判別結果に基づいて、サラウンドや聴取位置がユーザーの設定となるようにアンプ２１を制御して音質を変化させるものである。
そして、コントローラ３０は、例えば、サラウンド設定時には、タッチパネルディスプレイ１０上で、ユーザーによってサラウンド設定が選択されると、操作受付部３１でタッチパネルディスプレイ１０の操作状態を判別する。そして、当該判別結果に基づいて、表示処理部３２は、サラウンドと聴取位置を設定する操作ボタン１１ａと操作ボタン１１ｂとを同時に表示するようにタッチパネルディスプレイ１０に信号を供給し、更に現在のサラウンドと聴取位置の設定に基づいた図３に示すような挿絵を表示するようにタッチパネルディスプレイ１０に信号を供給する。そして、タッチパネルディスプレイ１０上の操作ボタン１１ａ或いは操作ボタン１１ｂがユーザーによって操作されると、操作受付部３１でタッチパネルディスプレイ１０の操作ボタン１１ａ及び操作ボタン１１ｂの操作状態を判別する操作判別制御を行う。そして、当該判別結果に基づいて、再生制御部３３は、サラウンドや聴取位置がユーザーの設定となるようにアンプ２１を制御して音質を変化させる。また、操作受付部３１での判別結果に基づいて、表示処理部３２は、サラウンドと聴取位置の設定に基づいた挿絵をタッチパネルディスプレイ１０の挿絵部１２に表示するようにタッチパネルディスプレイ１０に信号を供給する表示選択判定制御を行う。
【００１８】
以下、このように構成された本発明に係るコントローラ３０での操作判別制御及び表示選択判定制御について説明する。
図４は、本発明に係るコントローラでの操作判別制御の制御ルーチンを示すフローチャートである。また、図５は、本発明に係るコントローラでの表示選択判定制御の制御ルーチンを示すフローチャートである。なお、操作判別制御と表示選択判定制御は、タッチパネルディスプレイ１０の操作が検出される毎に処理が行われる。
［操作判別制御］
まずは、操作判別制御に付いて説明する。
【００１９】
図４に示すように、ステップＳ１１０では、タッチパネルディスプレイ１０の操作ボタン１１ａ或いは操作ボタン１１ｂの操作を検出する。そして、ステップＳ１１２に進む。
ステップＳ１１２では、サラウンドの設定が操作されたか、否かを判別する。即ち、タッチパネルディスプレイ１０に表示されている操作ボタン１１ａのいずれかが操作されたか、否かを判別する。判別結果が真（Ｙｅｓ）で操作ボタン１１ａのいずれかが操作されていれば、ステップＳ１１４に進む。また、判別結果が偽（Ｎｏ）で操作ボタン１１ａのいずれも操作されていなければ、ステップＳ１１６に進む。
【００２０】
ステップＳ１１４では、選択されたサラウンド効果に適した音質に制御する。詳しくは、タッチパネルディスプレイ１０に表示された操作ボタン１１ａのいずれかのサラウンド効果となるようにアンプ２１を制御する。そして、ステップＳ１２０に進む。
また、ステップＳ１１６では、聴取位置の設定が操作されたか、否かを判別する。即ち、タッチパネルディスプレイ１０に表示されている操作ボタン１１ｂのいずれかが操作されたか、否かを判別する。判別結果が真（Ｙｅｓ）で操作ボタン１１ｂのいずれかが操作されていれば、ステップＳ１１８に進む。また、判別結果が偽（Ｎｏ）で操作ボタン１１ａのいずれも操作されていなければ、本ルーチンをリターンする。
【００２１】
ステップＳ１１８では、選択された聴取位置に適した音質に制御する。詳しくは、タッチパネルディスプレイ１０に表示された操作ボタン１１ｂのいずれかの聴取位置となるようにアンプ２１を制御する。そして、ステップＳ１２０に進む。
ステップＳ１２０では、挿絵を変更する。詳しくは、タッチパネルディスプレイ１０の挿絵部１３に表示される挿絵を後述する表示選択判定制御に基づいて変更する。そして、本ルーチンをリターンする。
［表示選択判定制御］
次に、表示選択判定制御に付いて説明する。
【００２２】
図５に示すように、ステップＳ２１０では、サラウンドの設定の内容が何かを判別する。詳しくは、現在、選択されているサラウンドの設定がＡ，Ｂ，Ｃのいずれであるかを判別する。判別結果がＡでサラウンドの設定がＡであれば、ステップＳ２１２に進む。また、判別結果がＢでサラウンドの設定がＢであれば、ステップＳ２１４に進む。また、判別結果がＣでサラウンドの設定がＣであれば、ステップＳ２１６に進む。
【００２３】
ステップＳ２１２では、聴取位置の設定の内容が何かを判別する。詳しくは、現在、選択されている聴取位置の設定がＸ，Ｙ，Ｚのいずれであるかを判別する。判別結果がＸで聴取位置の設定がＸであれば、ステップＳ２１８に進み、タッチパネルディスプレイ１０の挿絵部１２の表示を表示ＡＸ、即ちサラウンドＡ、聴取位置Ｘである場合の表示にする。そして、本ルーチンをリターンする。また、判別結果がＹで聴取位置の設定がＹであれば、ステップＳ２２０に進み、タッチパネルディスプレイ１０の挿絵部１２の表示を表示ＡＹ、即ちサラウンドＡ、聴取位置Ｙである場合の表示にする。そして、本ルーチンをリターンする。また、判別結果がＺで聴取位置の設定Ｚであれば、ステップＳ２２２に進み、タッチパネルディスプレイ１０の挿絵部１２の表示を表示ＡＺ、即ちサラウンドＡ、聴取位置Ｚである場合の表示にする。そして、本ルーチンをリターンする。
【００２４】
ステップＳ２１４では、ステップＳ２１２と同様に、聴取位置の設定の内容が何かを判別する。詳しくは、現在、選択されている聴取位置の設定がＸ，Ｙ，Ｚのいずれであるかを判別する。判別結果がＸで聴取位置の設定がＸであれば、ステップＳ２２４に進み、タッチパネルディスプレイ１０の挿絵部１２の表示を表示ＢＸ、即ちサラウンドＢ、聴取位置Ｘである場合の表示にする。そして、本ルーチンをリターンする。また、判別結果がＹで聴取位置の設定がＹであれば、ステップＳ２２６に進み、タッチパネルディスプレイ１０の挿絵部１２の表示を表示ＢＹ、即ちサラウンドＢ、聴取位置Ｙである場合の表示にする。そして、本ルーチンをリターンする。また、判別結果がＺで聴取位置の設定Ｚであれば、ステップＳ２２８に進み、タッチパネルディスプレイ１０の挿絵部１２の表示を表示ＢＺ、即ちサラウンドＢ、聴取位置Ｚである場合の表示にする。そして、本ルーチンをリターンする。
【００２５】
ステップＳ２１６では、ステップＳ２１２と同様に、聴取位置の設定の内容が何かを判別する。詳しくは、現在、選択されている聴取位置の設定がＸ，Ｙ，Ｚのいずれであるかを判別する。判別結果がＸで聴取位置の設定がＸであれば、ステップＳ２３０に進み、タッチパネルディスプレイ１０の挿絵部１２の表示を表示ＣＸ、即ちサラウンドＣ、聴取位置Ｘである場合の表示にする。そして、本ルーチンをリターンする。また、判別結果がＹで聴取位置の設定がＹであれば、ステップＳ２３２に進み、タッチパネルディスプレイ１０の挿絵部１２の表示を表示ＣＹ、即ちサラウンドＣ、聴取位置Ｙである場合の表示にする。そして、本ルーチンをリターンする。また、判別結果がＺで聴取位置の設定Ｚであれば、ステップＳ２３４に進み、タッチパネルディスプレイ１０の挿絵部１２の表示を表示ＣＺ、即ちサラウンドＣ、聴取位置Ｚである場合の表示にする。そして、本ルーチンをリターンする。
【００２６】
このように、本発明に係る音響制御装置では、サラウンド設定を行う場合には、設定内容が設定結果に相互で作用し合うようなサラウンドを設定する操作ボタン１１ａと聴取位置を設定する操作ボタン１１ｂとを同時にタッチパネルディスプレイ１０の設定部１１に表示し、操作判別制御と表示選択判定制御において、サラウンドと聴取位置の設定に基づいた表示をタッチパネルディスプレイ１０の挿絵部１２に表示している。
【００２７】
したがって、例えば、設定内容が設定結果に相互で作用し合うようなサラウンドの設定と聴取位置の設定時には、サラウンドを設定する操作ボタン１１ａ或いは聴取位置を設定する操作ボタン１１ｂのいずれかが操作されるたびに設定内容をタッチパネルディスプレイ１０の挿絵部１２に反映させることで、ユーザーが視覚的に現状の設定結果を理解することができ、ユーザーが所望する設定の組み合わせに容易に設定することができるので、ユーザーの操作を簡易にすることができる。
【００２８】
また、例えば、サラウンドと聴取位置の設定時に、サラウンドを設定する操作ボタン１１ａと聴取位置を設定する操作ボタン１１ｂとを同時に表示させることで、ユーザーによる設定画面の切り換えが不要となるので、ユーザーの操作を簡易にすることができる。
また、サラウンドの種類を表示の形状で、聴取位置を表示の位置で設定結果をタッチパネルディスプレイ１０の挿絵部１２に表示するようにしており、ユーザーが視覚的に現状の設定結果を理解することができるので、ユーザーが所望する設定の組み合わせに容易に設定することができる。
【００２９】
以上で発明の実施形態の説明を終えるが、発明の形態は本実施形態に限定されるものではない。
本実施形態では、サラウンド設定時のサラウンドの種類と聴取位置の設定に関して記載しているが、これに限定されるものではなく、設定内容が設定結果に相互で作用し合うような設定項目に対して適用しても、もちろん問題ないことは言うまでもない。
【００３０】
また、サラウンドをＡ，Ｂ，Ｃの三種類、聴取位置をＸ，Ｙ，Ｘの三種類としているが、これに限定されるものではなく、もちろん本実施形態よりも多くても少なくても良いことは言うまでもない。
また、サラウンドと聴取位置の設定をタッチパネルディスプレイ１０で行うようにしているが、これに限定されるものではなく、例えば、ボタンスイッチや音声操作によってサラウンド或いは聴取位置の設定を行うようにしてもよい。
【００３１】
また、設定部１１と挿絵部１２とを同一のタッチパネルディスプレイ１０で表示するようにしているが、これに限定されるものではなく、例えば、設定部１１と挿絵部１２とを異なる表示装置に表示するようにしても良いことは言うまでもない。
【符号の説明】
【００３２】
１  音響装置
１０  タッチパネルディスプレイ（設定表示手段、音質設定手段、聴取位置設定手段、結果表示手段）
１１  設定部
１１ａ  操作ボタン（音質設定手段）
１１ｂ  操作ボタン（聴取位置設定手段）
１２  挿絵部（結果表示手段）
３０  コントローラ（制御手段）
【図１】
2014015117.tif 000003
【図２】
2014015117.tif 000004
【図３】
2014015117.tif 000005
【図４】
2014015117.tif 000006
【図５】
2014015117.tif 000007